(57)【要約】【課題】流入する排水と共に排水溝に流れ込む泥は下流へ通過し、ごみ等固形廃棄物は装置に堆積する構造で、排水溝に簡単に設置でき、かつ容易に持ち上げて固形廃棄物を捨てることができる排水溝に設置される固形廃棄物収集装置を提供する。【解決手段】底部が開口した四角錐型中空体の底部の相対する二辺の中央部を結ぶ直線から同中空体の先端部まで縦に裁断した形状の船首形状体であって、その壁体の一部又は全部に多数の小孔が穿設されてなり、かつ先端側の前方部の船底部に支柱が垂設されてなる構造で、前記船首形状体の開口面上部に跨設された取っ手を備え、前記四角錐型中空体の底部開口面形状がＵ字状である。【選択図】  図１
2005193207.tif 000002
【特許請求の範囲】
【請求項１】
底部が開口した四角錐型中空体の底部の相対する二辺の中央部を結ぶ直線から同中空体の先端部まで縦に裁断した形状の船首形状体であって、その壁体の一部又は全部に多数の小孔が穿設されてなり、かつ先端側の前方部の船底部に支柱が垂設されてなる構造を特徴とする排水溝に設置される固形廃棄物収集装置。
【請求項２】
前記船首形状体の開口面上部に跨設された取っ手を備えたことを特徴とする請求項１に記載の排水溝に設置される固形廃棄物収集装置。
【請求項３】
前記船首形状体の入口開口面形状がＵ字状であることを特徴とする請求項１又は２に記載の排水溝に設置される固形廃棄物収集装置。
【請求項４】
排水溝の上流側に船首形状体の入口開口部が、下流側に船首形状体の先端部が位置するように設置され、かつ同先端部が排水溝の水面より上方に位置するように設置されることを特徴とする請求項１〜３のいずれか１項に記載の排水溝に設置される固形廃棄物収集装置。
【発明の詳細な説明】
【技術分野】
【０００１】
本発明は、主として厨房内における排水溝に設置される固形廃棄物収集装置に関する。
【背景技術】
【０００２】
従来の厨房内排水溝は、床面を掘り込んだものや、Ｕ字型に形成されたＵ字溝ブロックの多数個を連接して床面に埋設されたものもある。
【０００３】
上記従来の厨房内排水溝は、排水溝の底部上や汚水升に排水と共に流れ込んだ食品残渣や油脂、ごみなどが推積し排水の流れが阻害されるだけでなく、滞溜した排水にボウフラ等が発生したり、さらに、流入し滞留した食品残渣等生ごみが腐敗して悪臭の発生原因にもなり非衛生的である。また、生ごみや廃油を回収するグリストラップ内に生ごみ等がそのまま流入すると、グリストラップ内での汚泥堆積の原因となる。そのため厨房職員はその都度、小型シャベル等を用いて推積したごみや汚泥を排水溝から除去する清掃作業が必要であるが、除去作業は困難であると同時に除去に伴う悪臭の発生等、重労働であった。
【０００４】
このため、Ｕ字溝等の排水溝の底部にごみ滞留部を凹状に形成し、当該部に、ごみ受け袋の掛止部を設けてごみ受け袋を係着可能にした、下記特許文献１に示したＵ字溝もあるが、既設排水溝に新設するためには専門業者による交換・埋設作業が必要となり、新たな工事費用が発生するという問題があった。
【特許文献１】特許公開平９−５３２７３号公報
【発明の開示】
【発明が解決しようとする課題】
【０００５】
本発明は上記に鑑み、排水溝の大きさと形状に合致した、簡単に設置できて持ち上げるだけで清掃作業が完了する、ちり取り形状の固形廃棄物収集装置を提供する。
【課題を解決するための手段】
【０００６】
本願発明者は、上記に鑑み鋭意研究の結果、次の手段によりこの課題を解決した。
（１）底部が開口した四角錐型中空体の底部の相対する二辺の中央部を結ぶ直線から同中空体の先端部まで縦に裁断した形状の船首形状体であって、その壁体の一部又は全部に多数の小孔が穿設されてなり、かつ先端側の前方部の船底部に支柱が垂設されてなる構造を特徴とする排水溝に設置される固形廃棄物収集装置。      
【０００７】
（２）前記船首形状体の開口面上部に跨設された取っ手を備えたことを特徴とする前項（１）に記載の排水溝に設置される固形廃棄物収集装置。
【０００８】
（３）前記船首形状体の入口開口面形状がＵ字状であることを特徴とする前項（１）又は（２）に記載の排水溝に設置される固形廃棄物収集装置。
【０００９】
（４）排水溝の上流側に船首形状体の入口開口部が、下流側に船首形状体の先端部が位置するように設置され、かつ同先端部が排水溝の水面より上方に位置するように設置されることを特徴とする前項（１）〜（３）のいずれか１項に記載の排水溝に設置される固形廃棄物収集装置。
【発明の効果】
【００１０】
本願発明によれば、次のような効果が発揮される。
１．本願発明の請求項１の発明によれば、
排水溝内に流入した食品残渣や油脂、ごみ等固形廃棄物や泥は、排水溝内に設置された本願発明の固形廃棄物収集装置に流れ込むと、微細な泥はその壁体の一部又は全部に多数の小孔が穿設されているので、その小孔を通過して下流へ流れ去り、ごみ等固形廃棄物は船首形状体のように形成された先端部近辺方向に水流によって押し流され、集中して堆積し乾燥するので腐敗しにくく、かつ排水がごみ等固形廃棄物にせき止められて滞留することがなくなり、また、固形廃棄物収集装置は簡単に取り出して定期的に堆積したごみ等固形廃棄物を捨てることができるので衛生的な環境を安価な固形廃棄物収集装置で構築できる。
このため、下流にあるグリストラップ、貯留槽、浄化槽等の排水浄化装置の浄化に関する負担を軽減し、浄化機能を高める効果も期待できる。
【００１１】
２．本願発明の請求項２の発明によれば、
１項の効果に加えて、取っ手が付いているので手を汚すことなく、排水溝に簡単に設置することができ、かつ容易に固形廃棄物収集装置を持ち上げて堆積したごみ等固形廃棄物を廃棄できる。
【００１２】
３．本願発明の請求項３の発明によれば、
さらに前項１、２の効果に加えて、前記四角錐型中空体の底部開口面形状がＵ字状であるため、排水溝の底部面と形状が一致しているのでごみ等固形廃棄物が下流に流されることなく全て回収することができる。
【００１３】
４．本願発明の請求項４の発明によれば、
前項１〜３の効果に加えて、前記排水溝の上流側に入口開口部が位置するよう配設され、かつ下流側に配設される船首形状体の先端部が水面より上方に位置するように配設されるので、ごみ等固形廃棄物は船首形状体のように形成された先端部近辺方向に水流によって押し流され、集中して堆積し、かつ水面より上方に堆積するため乾燥するので腐敗しにくく、また排水がごみ等固形廃棄物にせき止められて滞留することがなくなり、衛生的な環境を安価な固形廃棄物収集装置で構築できる。
【発明を実施するための最良の形態】
【００１４】
本願発明実施例を図に基づいて詳細に説明する。
図１は本願発明実施例の排水溝に設置される固形廃棄物収集装置の斜視図であり、図２（ａ）は同発明実施例の排水溝に設置される固形廃棄物収集装置の側面図、図２（ｂ）は同発明実施例の排水溝に設置される固形廃棄物収集装置の正面図であり、図２（ｃ）は同発明実施例の排水溝に設置される固形廃棄物収集装置の上面図、である。
図において、１は固形廃棄物収集装置、２は小孔、３は先端部、４は支柱、５は取っ手、６は壁体である。
【００１５】
図１及び図２において、底部が開口した四角錐型中空体である固形廃棄物収集装置１の四角面を形成する底部の相対する二辺の中央部を結ぶ直線から同中空体の先端部まで縦に裁断した形状の底部と四角錐型中空体の一面が開口している船首形状体であって、その壁体６の一部又は全部に多数の小孔２が穿設され、かつ先端側の前方部の船底部に支柱４が垂設された構造で、前記船首形状体の開口面の上部に跨設された取っ手５を備え、前記四角錐型中空体の底部開口面形状がＵ字状である。
【００１６】
前記固形廃棄物収集装置１の開口した四角面を形成する底部を厨房内排水溝の上流側に向け、その底部下部面と、支柱４下部が排水溝の底面に密着するように設置する。
【００１７】
排水と共に流れ込んだ微細な泥は、前記開口した底部と四角錐面の一面を除く壁体６に穿設された多数の小孔２を通過して下流へ流れ去り、ごみ等固形廃棄物は狭まるように形成された先端部３方向に水流によって押し流され、先端部３近辺に集中して堆積する。
【００１８】
堆積したごみ等固形廃棄物は、前記先端部３が排水溝の水面より上方に位置するように設置されているので、空気にさらされ乾燥するので腐敗しにくく、かつ排水がごみ等固形廃棄物にせき止められて滞留することがなくなる。
【００１９】
また、固形廃棄物収集装置１は、取っ手５が付いているので手を汚すことなく簡単に取り出して定期的に堆積したごみ等固形廃棄物を捨てることができる。
【００２０】
さらに、前記四角錐型中空体の四角面を形成する底部開口面形状がＵ字状であるため、排水溝の底部面と形状が一致しているので、固形廃棄物収集装置１の外側と排水溝との間には隙間が無くなり、そのためごみ等固形廃棄物が下流に流されることなく全て回収することができる。
【００２１】
なお、前記取っ手５は、四角面を形成する底部側近辺と、先端部３近辺の２カ所に配設してもよい。
【００２２】
また、固形廃棄物収集装置１の形状と大きさは、排水溝の形状と大きさに合わせて、複数種用意されることが好ましい。
【００２３】
なお、本願発明の固形廃棄物収集装置は、ステンレス製やプラスチック製などが好ましいが、それに限定されるものでなく、使用環境に適合した材料で形成されることが好ましい。
【００２４】
本願発明は、厨房内排水溝用として使用を限定されることなく、住宅地や市街地における雨水排水溝に設置してもよい。
【産業上の利用可能性】
【００２５】
既設の排水溝に簡単に設置でき、取扱も簡便なため、衛生的な環境を安価な固形廃棄物収集装置で実現できるので産業上の利用可能性大である。
【図面の簡単な説明】
【００２６】
【図１】本願発明実施例の排水溝に設置される固形廃棄物収集装置の斜視図。
【図２】（ａ）同発明実施例の排水溝に設置される固形廃棄物収集装置の側面図。（ｂ）は同発明実施例の排水溝に設置される固形廃棄物収集装置の正面図。（ｃ）同発明実施例の排水溝に設置される固形廃棄物収集装置の上面図。
【符号の説明】
【００２７】
１：固形廃棄物収集装置
２：小孔
３：先端部
４：支柱
５：取っ手
６：壁体
【図１】
2005193207.tif 000003
【図２】
2005193207.tif 000004